(57)【要約】本発明は、移動通信端末機を用いて移動通信網の無線区間通話品質測定を提供する方法及びシステムに関するものである。本発明は、移動通信端末機における無線区間通話品質を測定する方法であって、（ａ）品質測定アプリケーションで生成した品質測定要請信号をスイッチングして診断監視ポート（Diagnostic Monitor Port）へ伝送するステップと、（ｂ）診断監視ポートへ伝送された品質測定要請信号を品質測定処理部へ伝送して無線区間通話品質を測定するステップと、（ｃ）品質測定処理部が無線区間通話品質の測定を完了すると、品質測定結果データを生成して診断監視ポートに出力するステップと、（ｄ）診断監視ポートに出力された品質測定結果データをスイッチングして品質測定アプリケーションへ伝送するステップと、（ｅ）品質測定アプリケーションが品質測定結果データを受信してメモリに格納するステップと、を含むことを特徴とする移動通信端末機における無線区間通話品質を測定する方法を提供する。本発明によると、移動通信端末機自体だけで通話品質を測定し分析して、通話品質を測定し分析する移動通信事業者に通話品質をメンテナンスすることに便利性を提供する効果がある。
2009515465.tif 000002
【特許請求の範囲】
【請求項１】
移動通信端末機における無線区間通話品質を測定する方法であって、
（ａ）品質測定アプリケーションで生成した品質測定要請信号をスイッチングして診断監視ポート（Diagnostic Monitor Port）へ伝送するステップと、
（ｂ）前記診断監視ポートへ伝送された前記品質測定要請信号を品質測定処理部へ伝送して前記無線区間通話品質を測定するステップと、
（ｃ）前記品質測定処理部が前記無線区間通話品質の測定を完了すると、前記品質測定結果データを生成して前記診断監視ポートに出力するステップと、
（ｄ）前記診断監視ポートに出力された前記品質測定結果データをスイッチングして前記品質測定アプリケーションへ伝送するステップと、
（ｅ）前記品質測定アプリケーションが前記品質測定結果データを受信してメモリに格納するステップと、
を含むことを特徴とする移動通信端末機における無線区間通話品質を測定する方法。
【請求項２】
前記ステップ（ｅ）の以後に、
（ｆ）前記品質測定アプリケーションで前記品質測定結果データを分析し、分析した結果である通話品質情報を前記移動通信端末機の画面に表示するステップをさらに含むことを特徴とする請求項１に記載の移動通信端末機における無線区間通話品質を測定する方法。
【請求項３】
診断監視装置を用いて移動通信端末機における無線区間通話品質を測定する方法であって、
（ａ）前記移動通信端末機の品質測定アプリケーションで生成した品質測定要請信号が前記移動通信端末機のデータサービスポート（Data Service Port；以下、‘第１のＤＳポート’という）を通じて前記診断監視装置のＤＳポート（以下、‘第２のＤＳポート’という）へ伝送されるステップと、
（ｂ）前記診断監視装置が前記第２のＤＳポートへ伝送された前記品質測定要請信号を前記診断監視装置の診断監視ポート（Diagnostic Monitor Port；以下、‘第２のＤＭポート’という）に切り替えるステップと、
（ｃ）前記診断監視装置が前記第２のＤＭポートに切り替えられた前記品質測定要請信号を前記移動通信端末機のＤＭポート（以下、‘第１のＤＭポート’という）を通じて品質測定処理部へ伝送するステップと、
（ｄ）前記品質測定処理部が前記無線区間通話品質の測定を完了して生成する品質測定結果データを前記第１のＤＭポートに出力して前記第２のＤＭポートに前記品質測定結果データを伝送するステップと、
（ｅ）前記診断監視装置が前記第２のＤＭポートへ伝送された前記品質測定結果データを前記第２のＤＳポートに切り替えるステップと、
（ｆ）前記診断監視装置が前記第２のＤＳポートに切り替えられた前記品質測定結果データを前記第１のＤＳポートを通じて前記移動通信端末機へ伝送するステップと、
を含むことを特徴とする診断監視装置を用いて移動通信端末機における無線区間通話品質を測定する方法。
【請求項４】
前記品質測定アプリケーションは、
前記診断監視装置が前記移動通信端末機に装着されているか否かを確認し、前記診断監視装置が装着されていない場合、前記診断監視装置を装着せよとの警告メッセージを表示し、前記品質測定結果データを分析して該当パラメータの説明と共にグラフで生成して前記移動通信端末機の画面に表示することを特徴とする請求項３に記載の診断監視装置を用いて移動通信端末機における無線区間通話品質を測定する方法。
【請求項５】
前記ステップ（ｃ）は、前記移動通信端末機の診断監視装置連動部が前記第１のＤＭポートと前記第２のＤＭポートとの間をＲＳ−２３２Ｃプロトコルに連動するようにして、前記第２のＤＭポートへ伝送された前記品質測定要請信号を前記第１のＤＭポートを通じて前記品質測定処理部へ伝送することを特徴とする請求項３に記載の診断監視装置を用いて移動通信端末機における無線区間通話品質を測定する方法。
【請求項６】
前記ステップ（ｆ）の以後に、
（ｇ）前記品質測定結果データを受信した前記移動通信端末機が前記品質測定結果データを格納し、前記品質測定アプリケーションで前記品質測定結果データを分析し、分析した結果である通話品質情報を前記移動通信端末機の画面に表示するステップをさらに含むことを特徴とする請求項３に記載の診断監視装置を用いて移動通信端末機における無線区間通話品質を測定する方法。
【請求項７】
前記移動通信端末機は、
前記移動通信端末機に格納した前記品質測定結果データを移動通信網を用いて通話品質管理サーバへ伝送することを特徴とする請求項６に記載の診断監視装置を用いて移動通信端末機における無線区間通話品質を測定する方法。
【請求項８】
前記品質測定処理部は、
前記品質測定アプリケーションで生成した前記品質測定要請信号を受信すると、前記無線区間通話品質を測定し、前記無線区間通話品質の測定が完了すると、測定結果を前記品質測定結果データで生成することを特徴とする請求項３に記載の診断監視装置を用いて移動通信端末機における無線区間通話品質を測定する方法。
【請求項９】
移動通信端末機に装着されて前記移動通信端末機における無線区間通話品質を測定するための信号を送受信する診断監視装置であって、
前記移動通信端末機のデータサービスポート（Data Service Port；以下、‘第１のＤＳポート’という）から伝送される品質測定要請信号を受信する前記診断監視装置のＤＳポート（以下、‘第２のＤＳポート’という）と前記移動通信端末機の診断監視ポート（Diagnostic Monitor Port；以下、‘第１のＤＭポート’という）から伝送される品質測定結果データを受信する前記診断監視装置のＤＭポート（以下、‘第２のＤＭポート’という）を含んで、前記移動通信端末機と前記診断監視装置との間に送受信される信号の入出力のための通信インターフェースと、
前記第２のＤＳポートに入力される信号を前記第２のＤＭポートに切り替えるか、前記第２のＤＭポートに入力される信号を前記第２のＤＳポートに切り替えるためのスイッチを提供するポートスイッチ部と、
前記第１のＤＳポートを通じて前記第２のＤＳポートに入力された前記品質測定要請信号を前記第２のＤＭポートに切り替えるように前記ポートスイッチ部を制御し、前記第１のＤＭポートを通じて前記第２のＤＭポートに入力された前記品質測定結果データを前記第２のＤＳポートに切り替えるように前記ポートスイッチ部を制御する制御機と、
を含むことを特徴とする移動通信端末機における無線区間通話品質の測定のための信号を送受信する診断監視装置。
【請求項１０】
前記通信インターフェースは、
前記移動通信端末機の通信インターフェースに対応するピンを有し、前記第１のＤＳポートと前記第１のＤＭポートが前記第２のＤＳポートと前記第２のＤＭポートと一対一に対応する構造で形成されていることを特徴とする請求項９に記載の移動通信端末機における無線区間通話品質の測定のための信号を送受信する診断監視装置。
【請求項１１】
前記第２のＤＭポートは、
前記移動通信端末機の診断監視装置連動部により前記第１のＤＭポートとＲＳ−２３２Ｃプロトコルに連動されることを特徴とする請求項９に記載の移動通信端末機における無線区間通話品質の測定のための信号を送受信する診断監視装置。
【発明の詳細な説明】
【技術分野】
【０００１】
本発明は、移動通信端末機を用いて移動通信網の無線区間通話品質測定を提供する方法及びシステムに関し、より詳しくは、移動通信端末機に診断監視装置（Diagnostic Monitor Device）を装着し、診断監視装置を制御して測定を遂行し、測定した結果である品質測定結果を分析する機能を提供するアプリケーションを移動通信端末機にダウンロードして移動通信端末機が通話品質を測定して分析する方法及びシステムに関する。
【背景技術】
【０００２】
移動通信システムは、第１世代のアナログＡＭＰＳ（Advanced Mobile Phone System）方式と、第２世代のセルラー（Cellular）／個人携帯通信（Personal Communication Service：ＰＣＳ）方式を経て発展してきたものであり、最近は情報通信が発達するにつれて、ＩＴＵ−Ｒで標準に制定している第３世代の移動通信システムであるＩＭＴ−２０００（International Mobile Telecommunication 2000）が商用化されている。ＩＭＴ−２０００は、ＣＤＭＡ ２０００ １Ｘ、３Ｘ、ＥＶ−ＤＯ、ＷＣＤＭＡ（Wideband CDMA）などで、既存のＩＳ−９５Ａ、ＩＳ−９５Ｂ網から進化したＩＳ−９５Ｃ網を用いてＩＳ−９５Ａ、ＩＳ−９５Ｂ網で支援可能なデータ伝送速度である１４．４ｋｂｐｓや５６ｋｂｐｓより格段に速い最高１４４ｋｂｐｓの伝送速度で無線インターネットを提供できるサービスである。特に、ＩＭＴ−２０００サービスを利用すると、既存の音声及びＷＢＳ（Wireless Broadcasting Service）サービス品質の向上は勿論、各種マルチメディアサービス（ＡＯＤ、ＶＯＤ等）をより速い速度で提供することができる。
【０００３】
また、最近は前述した移動通信システムが持つ無線インターネットサービスを提供することにおける限界を克服するための一環として、移動しながら安い料金で超高速無線インターネットサービスを利用できる携帯インターネットシステム（High Speed Portable Internet System：ＨＰｉ、または、Wireless Broadband Internet System：ＷｉＢｒｏ）に対する開発が進行中である。携帯インターネットシステムは、ノートブック、ＰＤＡ、Handheld PCなど、多様な形態の携帯用端末機を用いて室内及び室外の停止環境と、歩行速度及び中低速移動水準の移動環境で、インターネットに接続して多様な情報及びコンテンツを利用できるサービスである。また、ＩＰ（Internet Protocol）基盤の無線データシステムは、移動通信加入者をして時速６０ｋｍ／ｈの速度で移動しながら無線インターネットを利用できるようにし、２４ｍｂｐｓの下り伝送速度を提供し、ＭＩＭＯ（Multiple Input Multiple Output）システムを適用すると、５０ｍｂｐｓの下り伝送速度までも提供する。
【０００４】
移動通信加入者は、このような移動通信システムを用いて移動通信端末機を携帯しながら音声通信を遂行するだけでなく、無線インターネット（Wireless Internet）技術を用いて移動通信システムを通じて無線でインターネットに接続して、文字、イメージ、音声、または動画などのマルチメディアデータサービスの提供を受ける。このような無線インターネットは、移動通信加入者が移動通信端末機を用いて時間的または空間的制約無しで、インターネットに接続して多様な情報を検索及びダウンロードできるようにする。
【０００５】
最近は、インターネット及びマルチメディアデータ技術が発達するにつれて、マルチメディア通信、ネットワークゲーム、動画ゲームなど、多様なコンテンツを提供するコンテンツ提供業体（Content Provider：ＣＰ）が登場し、移動通信端末機にコンテンツ提供業体が提供する多様なサービスを利用しようとする移動通信加入者が増加した。
【０００６】
また、移動通信端末機のハードウェアも提供されるサービスに合せて発展を重ねている。初期モデルが音声通話と短文メッセージサービス（Short Message Service）のみを支援したが、移動通信端末機にカメラを設置して写真を撮ることができるようにし、音源を再生できる機能を持つモジュールを移動通信端末機に装着して音楽を再生できるようにし、最近は衛星放送を受信することができるモジュールを搭載した移動通信端末機に至るまで、ハードウェア的な発展を重ねている。
【０００７】
一方、移動通信端末機を使用するユーザが増加するにつれて、移動通信事業者は安定した移動通信サービスを提供することに関心を傾けている。移動通信事業者が移動通信端末機ユーザに安定した移動通信サービスを提供するためには、移動通信端末機の通話品質を測定することが必ず要求される。
【０００８】
移動通信事業者は、通話品質の測定及び分析のために数百名のメンテナンス及び最適化要員を運用しており、該要員が特定地域及び場所での通話品質を測定するためには、測定車両と高価の測定装備を必要としている。また、移動通信事業者が全体的な通話品質を測定するためには、小さくは６ケ月から長くは１年以上の時間がかかるので、全体的な通話品質の測定が完了した時点で最初の測定データは１年前のデータとなり、現在の通話品質データとして活用できないという問題点が発生している。
【０００９】
また、既存の測定装備は、小さくは数千万ウォンから多くは数億ウォン水準の高価であり、体積が大きくて重さが重い中大型の装備であるため、車両に装着して使用し移動させなければならず、中大型の測定装備に代える小型の測定装備でも、携帯が困難であり、測定装備を制御するか、分析の結果を照合するノートブックと連動する構造となっているので、別途にノートブックを携帯しなければならないという問題点があった。
【００１０】
前述した問題点を解決するために、最近は、移動通信端末機とノートブックをデータケーブルに直接連結して測定を遂行するＰＣ基盤のプログラムが中大型の測定装備に代えているが、特定地域の通話品質を測定するためには、測定プログラムを格納しているノートブックやデスクトップコンピュータとこれらとのデータ通信のためのデータケーブルを常に携帯しなければならないという問題点があった。
【発明の開示】
【発明が解決しようとする課題】
【００１１】
このような問題点を解決するために、本発明は、移動通信端末機に診断監視装置（Diagnostic Monitor Device）を装着し、診断監視装置を制御して測定を遂行し、測定した結果である品質測定結果を分析する機能を提供するアプリケーションを移動通信端末機にダウンロードして移動通信端末機が通話品質を測定して分析する方法及びシステムを提供することをその目的とする。
【課題を解決するための手段】
【００１２】
このような目的を達成するために、本発明の第１の目的によると、 移動通信端末機における無線区間通話品質を測定する方法であって、（ａ）品質測定アプリケーションで生成した品質測定要請信号をスイッチングして診断監視ポート（Diagnostic Monitor Port）へ伝送するステップと、（ｂ）診断監視ポートへ伝送された品質測定要請信号を品質測定処理部へ伝送して無線区間通話品質を測定するステップと、（ｃ）品質測定処理部が無線区間通話品質の測定を完了すると、品質測定結果データを生成して診断監視ポートに出力するステップと、（ｄ）診断監視ポートに出力された品質測定結果データをスイッチングして品質測定アプリケーションへ伝送するステップと、（ｅ）品質測定アプリケーションが品質測定結果データを受信してメモリに格納するステップと、を含むことを特徴とする移動通信端末機における無線区間通話品質を測定する方法を提供する。
【００１３】
また、本発明の第２の目的によると、診断監視装置を用いて移動通信端末機における無線区間通話品質を測定する方法であって、（ａ）移動通信端末機の品質測定アプリケーションで生成した品質測定要請信号が移動通信端末機のデータサービスポート（Data Service Port；以下、‘第１のＤＳポート’という）を通じて診断監視装置のＤＳポート（以下、‘第２のＤＳポート’という）へ伝送されるステップと、（ｂ）診断監視装置が第２のＤＳポートへ伝送された品質測定要請信号を診断監視装置の診断監視ポート（Diagnostic Monitor Port；以下、‘第２のＤＭポート’という）に切り替えるステップと、（ｃ）診断監視装置が第２のＤＭポートに切り替えられた品質測定要請信号を移動通信端末機のＤＭポート（以下、‘第１のＤＭポート’という）を通じて品質測定処理部へ伝送するステップと、（ｄ）品質測定処理部が無線区間通話品質の測定を完了して生成する品質測定結果データを第１のＤＭポートに出力して第２のＤＭポートに品質測定結果データを伝送するステップと、（ｅ）診断監視装置が第２のＤＭポートに伝送された品質測定結果データを第２のＤＳポートに切り替えるステップと、（ｆ）診断監視装置が第２のＤＳポートに切り替えられた品質測定結果データを第１のＤＳポートを通じて移動通信端末機へ伝送するステップと、を含むことを特徴とする診断監視装置を用いて移動通信端末機における無線区間通話品質を測定する方法を提供する。
【００１４】
また、本発明の第３の目的によると、移動通信端末機に装着されて移動通信端末機における無線区間通話品質を測定するための信号を送受信する診断監視装置であって、移動通信端末機のデータサービスポート（Data Service Port；以下、‘第１のＤＳポート’という）から伝送される品質測定要請信号を受信する診断監視装置のＤＳポート（以下、‘第２のＤＳポート’という）と移動通信端末機の診断監視ポート（Diagnostic Monitor Port；以下、‘第１のＤＭポート’という）から伝送される品質測定結果データを受信する診断監視装置のＤＭポート（以下、‘第２のＤＭポート’という）を含んで移動通信端末機と診断監視装置との間に送受信される信号の入出力のための通信インターフェースと、第２のＤＳポートに入力される信号を第２のＤＭポートに切り替えるか、第２のＤＭポートに入力される信号を第２のＤＳポートに切り替えるためのスイッチを提供するポートスイッチ部と、第１のＤＳポートを通じて第２のＤＳポートに入力された品質測定要請信号を第２のＤＭポートに切り替えるようにポートスイッチ部を制御し、第１のＤＭポートを通じて第２のＤＭポートに入力された品質測定結果データを第２のＤＳポートに切り替えるようにポートスイッチ部を制御する制御機と、を含むことを特徴とする移動通信端末機における無線区間通話品質の測定のための信号を送受信する診断監視装置を提供する。
【発明の効果】
【００１５】
本発明によると、移動通信端末機自体だけで通話品質を測定し分析して、通話品質を測定し分析する移動通信事業者に通話品質をメンテナンスすることに便利性を提供する効果がある。
【発明を実施するための最良の形態】
【００１６】
以下、本発明の好ましい実施形態を添付した図面を参照しつつ詳細に説明する。まず、各図面の構成要素への参照符号の付加において、同一な構成要素に対しては、たとえ他の図面上に表示されてもできる限り同一な符号が与えられていることに留意しなければならない。また、本発明の説明において、関連した公知構成または機能に対する具体的な説明が本発明の要旨を曖昧にすることができると判断される場合にはその詳細な説明は省略する。
【００１７】
また、以下では、移動通信システムとしてはＣＤＭＡ（Code Division Multiple Access）２０００システムを利用するという仮定下に本発明を説明する。但し、ＣＤＭＡ２０００システムは、説明の便宜のために指定したシステムであって、本発明で用いられる移動通信システムはこれに限定されるものではない。
【００１８】
図１は、本発明の好ましい実施形態に係る移動通信網の無線区間通話品質を測定する移動通信端末機の内部構造を簡単に示す図である。
【００１９】
本発明の好ましい実施形態に係る移動通信網の無線区間通話品質を測定する移動通信端末機１００は、マイクロプロセッサ１１０、メモリ１２０、プログラム格納部１３０、品質測定処理部１４０、診断監視装置連動部１５０、ユーザインターフェース部１６０、ディスプレイ部１７０、第１通信インターフェース１８０、第１のＤＳ（Data Service）ポート１８２、及び第１のＤＭ（Diagnostic Monitor）ポート１８４を含んで構成され、インターネット接続プロトコルである無線アプリケーションプロトコル（Wireless Application Protocol：ＷＡＰ）、ＨＴＴＰプロトコルを使用するＨＴＭＬに基盤したＭＩＥ（Microsoft Internet Explorer）、ハンドヘルドデバイストランスポートプロトコル（Handheld Device Transport Protocol：ＨＤＰＴ）、NTT DOCOMO社の‘ｉ−Ｍｏｄｅ’またはＳＫテレコム社の‘ＮＡＴＥ’のような無線インターネット接続用ブラウザを用いて移動通信網を経由してインターネットに接続することができる。移動通信端末機１００で使用するインターネット接続プロトコルの中で、ＭＩＥはＨＴＭＬを若干変形させて縮約するｍ−ＨＴＭＬを使用し、ｉ−Ｍｏｄｅの場合にはＨＴＭＬのサブセットであるコンパクトＨＴＭＬ（ｃ−ＨＴＭＬ）という言語を使用する。
【００２０】
マイクロプロセッサ１１０は、移動通信端末機１００での音声データの送受信及び通話品質測定に関連した全般的な作動過程を制御する。したがって、マイクロプロセッサ１１０は、品質測定アプリケーションを駆動したユーザが通話品質測定のためのユーザインターフェース部１６０からの入力により品質測定アプリケーションが品質測定要請信号を生成するように制御し、生成した品質測定要請信号が第１のＤＳポート１８２を通じて診断監視装置２００に伝送されるように制御し、品質測定処理部１４０で生成した品質測定結果データが第１のＤＭポート１８４を通じて診断監視装置２００に伝送されるように制御する。
【００２１】
メモリ１２０は、ＥＥＰＲＯＭ（Electrically Erasable Programmable Read Only Memory）、フラッシュメモリ（Flash Memory）、ＲＡＭ（Random Access Memory）などを含んで構成され、移動通信端末機１００が駆動することに必要とされる基本的なプログラムが格納されている。フラッシュメモリには、リアルタイム処理運営体制（Real Time Operating System）、移動通信端末機の呼（Call）処理ソフトウェア、マルチメディアカラーリングソフトウェア、短文メッセージ作成、及び確認のための短文メッセージアプリケーションなどの基本的なプログラムと品質測定処理部１４０、及び診断監視装置連動部１５０を制御して移動通信端末機１００の通話品質を測定するための品質測定アプリケーションが格納されているプログラム格納部１３０があり、プログラム格納部１３０のソフトウェアは、ＲＡＭにローディングされて駆動される。
【００２２】
本発明において、品質測定アプリケーションは、移動通信端末機１００における通話品質測定及び分析を行うためのプログラムであって、ユーザにより品質測定アプリケーションが実行されると、診断監視装置連動部１５０を用いて診断監視装置２００が移動通信端末機１００に装着されているか否かを確認し、診断監視装置２００が移動通信端末機１００に装着されていない場合、診断監視装置２００を装着せよとの警告メッセージを表示し、移動通信端末機ユーザから測定収集要請のための信号の入力を受けて品質測定要請信号を生成し、Ｒａｗデータで構成された品質測定結果データを分析して該当パラメータの説明と共にグラフで生成して移動通信端末機１００のディスプレイ部１７０に表示する。
【００２３】
本発明の好ましい実施形態に係る品質測定処理部１４０は、第１のＤＭポート１８４から品質測定要請信号の入力を受けて、移動通信端末機１００が利用する移動通信網の無線区間に対する通話品質を測定し、測定が完了すると、測定結果を品質測定結果データで生成して第１のＤＭポート１８４に出力する。
【００２４】
本発明の好ましい実施形態に係る診断監視装置連動部１５０は、マイクロプロセッサ１１０の制御に従い移動通信端末機１００に診断監視装置２００が連結されているか否かを確認し、移動通信端末機１００と診断監視装置２００がＲＳ−２３２Ｃプロトコルに連動するようにして、第２のＤＭポート２１４から第１のＤＭポート１８４を通じて入力される品質測定要請信号が品質測定処理部１４０に伝送されるようにし、品質測定処理部１４０から第１のＤＭポート１８４に出力する品質測定結果データを第２のＤＭポート２１４を通じて診断監視装置２００へ伝送されるようにする。
【００２５】
ユーザインターフェース部１６０は、電話番号などの数字を入力するための数字キーを始めとして、文字入力のためのボタンと特定の機能の呼出しに使われるファンクションキーボタンを具備しており、移動通信端末機１００はユーザインターフェース部１６０を用いて短文メッセージを作成する。
【００２６】
本発明の好ましい実施形態に係るユーザインターフェース部１６０は、品質測定アプリケーションが無線区間通話品質測定に必要とするキーを割り当てる。
【００２７】
例えば、ユーザインターフェース部１６０の数字キーは、品質測定アプリケーションが実行される前にはユーザが数字を入力するために使われるが、品質測定アプリケーションが駆動して数字キー１を品質測定開始キーに割り当てを受けた場合、ユーザが１を押すと、品質測定アプリケーションは品質測定要請信号を生成する。
【００２８】
本発明の好ましい実施形態に係るディスプレイ部１７０は、電源の使用状態、電波の受信強度、及び日付と時間を含んで、移動通信端末機１００の動作状態を表示し、アプリケーション実行のためのメニュー項目、及び移動通信端末機１００が無線データサービスで多様なコンテンツアプリケーションをダウンロードする画面をディスプレイし、品質測定アプリケーションを画面に表示し、品質測定アプリケーションで通話品質結果データを分析して生成する通話品質情報を該当パラメータ（Parameter）の説明と共に図表処理した画面を表示する。
【００２９】
本発明の好ましい実施形態に係る第１通信インターフェース１８０は、移動通信端末機１００が外部装置との通信のために送受信する信号の通路を提供する。一般的に、移動通信端末機１００の通信インターフェースは多数個のピンから構成されている。
【００３０】
例えば、移動通信端末機１００の通信インターフェースは、２４個ピンからなるポート形態であり、外部装置とはシリアルケーブル（Serial Cable）を用いて連結される。
【００３１】
本発明の好ましい実施形態に係る第１通信インターフェース１８０は、第１のＤＳポート１８２と第１のＤＭポート１８４とを含むが、第１のＤＳポート１８２と第１のＤＭポート１８４は、第１通信インターフェース１８０の多数個のピンのうちの一部を割り当られて使用する通信インターフェースである。
【００３２】
第１のＤＳポート１８２は、移動通信端末機１００で生成した多様な種類の信号を外部装置へ伝送し、外部装置から入力される多様な種類の信号を受信するための通信インターフェースであって、本発明では品質測定アプリケーションで生成した品質測定要請信号を診断監視装置２００へ伝送し、診断監視装置２００から入力される品質測定結果データを受信するための経路を提供する。
【００３３】
第１のＤＭポート１８４は、移動通信端末機１００が無線区間通話品質を測定するための命令信号を受信し、測定した結果を出力するための通信インターフェースであって、本発明では診断監視装置２００から入力される品質測定要請信号を受信し、測定結果である品質測定結果データを診断監視装置２００へ伝送するようにする経路を提供する。
【００３４】
図１に図示されているが、公知の構成または機能に対する具体的な説明は、本発明の要旨を曖昧にすることができると判断されて、その詳細な説明を省略する。
【００３５】
図２は、本発明の好ましい実施形態に係る移動通信網の無線区間通話品質を測定するために移動通信端末機に装着する診断監視装置の内部構造を簡単に示す図である。
【００３６】
本発明の好ましい実施形態に係る診断監視装置２００は、第２通信インターフェース２１０、第２のＤＳポート２１２、第２のＤＭポート２１４、ポートスイッチ部２２０、及び制御機２３０を含んで構成する。
【００３７】
本発明の好ましい実施形態に係る第２通信インターフェース２１０は、第１通信インターフェースと連結されて診断監視装置２００が移動通信端末機１００に装着されるようにし、第２のＤＳポート２１２と第２のＤＭポート２１４とを含んで構成される。
【００３８】
図１で説明したように、第１のＤＳポート１８２及び第１のＤＭポート１８４のように、第２のＤＳポート２１２及び第２のＤＭポート２１４も第２通信インターフェース２１０の多数個のピンのうちの一部を割り当てられて使用する。
【００３９】
本発明において、第１のＤＳポート１８２は第２のＤＳポート２１２と対応し、第１のＤＭポート１８４は第２のＤＭポート２１４と対応するため、第１通信インターフェース１８０と第２通信インターフェース２１０とは、同一な数のピンを有し、各々のピンが一対一に対応するようにすることが好ましいが、第２通信インターフェース２１０は、第１のＤＳポート１８２と第１のＤＭポート１８４に割り当てられたピンの個数だけを持つものと具現することも可能である。
【００４０】
例えば、第１通信インターフェース１８０の全体ピンの個数が２４個であり、第１のＤＳポート１８２と第１のＤＭポート１８４が各々８個のピンの割り当てを受けたならば、第２通信インターフェース２１０は、第１のＤＳポート１８２と第１のＤＭポート１８４が割り当てられた全１６個のピンだけで構成することができ、各々のピンは第２のＤＳポート２１２と第２のＤＭポート２１４が第１のＤＳポート１８２と第１のＤＭポート１８４と対応する位置に具現する。
【００４１】
本発明の好ましい実施形態に係るポートスイッチ部２２０は、制御機２３０の制御に従い第２のＤＳポート２１２に入力される信号を第２のＤＭポート２１４に切り替えるか、第２のＤＭポート２１４に入力されるデータを第２のＤＳポート２１２に切り替えるためのスイッチを持つ。
【００４２】
本発明の好ましい実施形態に係る制御機２３０は、診断監視装置２００の全ての構成要素を制御する装置であって、第２のＤＳポート２１２に品質測定要請信号が入力されると、ポートスイッチ部２２０を制御して第２のＤＭポート２１４に品質測定要請信号を切り替え、第２のＤＭポート２１４に品質測定結果データが入力されると、ポートスイッチ部２２０を制御して第２のＤＳポート２１２に切り替えるように制御する。
【００４３】
一般に、移動通信端末機１００のＤＭポート３４０は、外部ターミナル、例えば、ノートブック、デスクトップＰＣ等から命令を受けて駆動するようになっているので、診断監視装置２００は移動通信端末機１００が外部ターミナルの役目をするようにする装置である。
【００４４】
図３は、本発明の好ましい実施形態に係る診断監視装置を用いて通話品質を測定する過程を示すフローチャートである。
【００４５】
移動通信端末機ユーザが無線区間通話品質測定のために移動通信端末機１００に診断監視装置２００を装着した後、品質測定アプリケーションを実行する。
【００４６】
この際、品質測定アプリケーションは、品質測定アプリケーションを格納している特定サーバに無線で接続してダウンロードするか、ノートブックまたはデスクトップＰＣなどの外部装置に格納された品質測定アプリケーションをシリアルケーブル（Serial Cable）を用いて移動通信端末機１００にダウンロードすることも可能である。
【００４７】
また、品質測定アプリケーションは、診断監視装置２００を装着した後、ダウンロードすることも可能であり、移動通信端末機１００で品質測定アプリケーションを実行した後、診断監視装置２００が装着されていない場合には、品質測定アプリケーションで診断監視装置２００が装着されていないことを知らせる警告メッセージを表示することが好ましい。
【００４８】
移動通信端末機ユーザの入力により品質測定アプリケーションで生成した品質測定要請信号が第１のＤＳポート１８２を通じて診断監視装置２００の第２のＤＳポート２１２へ伝送される（Ｓ３００）。
【００４９】
第２のＤＳポート２１２に品質測定要請信号が入力されると、診断監視装置２００の制御機２３０は、ポートスイッチ部２２０を制御して品質測定要請信号を第２のＤＭポート２１４に切り替える（Ｓ３０２）。
【００５０】
第２のＤＭポート２１４に切り替えられた品質測定要請信号が第１のＤＭポート１８４を通じて品質測定処理部１４０へ伝送されると、品質測定処理部１４０が無線区間通話品質測定を開始する（Ｓ３０４）。
【００５１】
診断監視装置連動部１５０は、移動通信端末機１００の第１のＤＭポート１８４と診断監視装置２００の第２のＤＭポート２１４がＲＳ−２３２Ｃプロトコルに連動するようにするため、第２のＤＳポート２１２でスイッチングされて第２のＤＭポート２１４に切り替えられた品質測定要請信号を第１のＤＭポート１８４を通じて品質測定処理部１４０へ伝送する。
【００５２】
この際、品質測定処理部１４０は、無線区間通話品質測定のために、移動通信端末機１００の信号（Signal）、ＴＡ（Temporal Analyzer）、Fingerのみならず、移動通信端末機１００で生成するSignaling Messageなどを含んで通話品質を測定するが、無線区間通話品質の測定のために移動通信端末機１００が生成する通話品質を測定するための多様なパラメータ（Parameter）は当業者には公知技術であるので、その説明を省略する。
【００５３】
品質測定処理部１４０で無線区間通話品質の測定が完了すると、測定結果を品質測定結果データで生成して第１のＤＭポート１８４に出力する（Ｓ３０６）。
【００５４】
第１のＤＭポート１８４に出力された品質測定結果データは、第２のＤＭポート２１４に伝送され、診断監視装置２００の制御機２３０がポートスイッチ部２２０を制御して第２のＤＳポート２１２に品質測定結果データを切り替える（Ｓ３０８）。
【００５５】
第２のＤＳポート２１２に切り替えられた品質測定結果データが第１のＤＳポート１８２を通じて品質測定アプリケーションへ伝送されると、品質測定アプリケーションが品質測定結果データを移動通信端末機１００のメモリ１２０に格納する（Ｓ３１０）。
【００５６】
移動通信端末機ユーザの入力に従い品質測定アプリケーションはメモリ１２０に格納された品質測定結果データをローディング（Loading）して分析し、分析した結果である通話品質情報を該当パラメータの説明と共に図表で表示した画面をディスプレイ部１７０に表示する。
【００５７】
本発明では、移動通信端末機１００に診断監視装置２００を装着して無線区間通話品質を測定するようにしているが、移動通信端末機１００の品質測定アプリケーションで生成する品質測定要請信号を移動通信端末機の内部でスイッチングして移動通信端末機のＤＭポートへ伝送して、品質測定処理部１４０が無線区間通話品質を測定するようにすることも可能である。
【００５８】
また、品質測定アプリケーションで分析することとは別に、詳細な分析をするために、移動通信端末機１００のメモリ１２０に格納された品質測定結果データを別のサーバに伝送することも可能である。
【００５９】
例えば、移動通信端末機１００の通話品質を格納して管理する特定サーバ（以下、‘通話品質管理サーバ’という）を移動通信網に設置し、品質測定アプリケーションで提供するファンクションキーのうちの一つに通話品質管理サーバのＵＲＬを含むようにして、移動通信端末機ユーザが品質測定アプリケーションで提供するファンクションキーを選択すると、移動通信端末機１００が移動通信網を用いて無線インターネットを通じて通話品質管理サーバに接続して格納している品質測定結果データをアップロードするようにするものである。
【００６０】
以上の説明は、本発明を例示的に説明したことに過ぎないものであって、本発明が属する技術分野で通常の知識を有する者であれば、本発明の本質的な特性から外れない範囲で多様な変形が可能である。したがって、本明細書に開示された実施形態は本発明を限定するためのものでなく、説明するためのものであり、このような実施形態により本発明の思想と範囲が限るのではない。本発明の範囲は下記の請求範囲により解されなければならなくて、それと同等な範囲内にある全ての技術は本発明の権利範囲に含まれることと解されているべきである。
【図面の簡単な説明】
【００６１】
【図１】本発明の好ましい実施形態に係る移動通信網の無線区間通話品質を測定する移動通信端末機の内部構造を簡単に示す図である。
【図２】本発明の好ましい実施形態に係る移動通信網の無線区間通話品質を測定するために移動通信端末機に装着する診断監視装置の内部構造を簡単に示す図である。
【図３】本発明の好ましい実施形態に係る診断監視装置を用いて通話品質を測定する過程を示すフローチャートである。
【符号の説明】
【００６２】
１００  移動通信端末機
１１０  マイクロプロセッサ
１２０  メモリ
１３０  プログラム格納部
１４０  品質測定処理部
１５０  診断監視装置連動部
１６０  ユーザインターフェース部
１７０  ディスプレイ部
１８０  第１通信インターフェース
１８２  第１のＤＳ（Data Service）ポート
１８４  第１のＤＭ（Diagnostic Monitor）ポート
２００  診断監視装置
２１０  第２通信インターフェース
２１２  第２のＤＳポート
２１４  第２のＤＭポート
２２０  ポートスイッチ部
２３０  制御機
【図１】
2009515465.tif 000003
【図２】
2009515465.tif 000004
【図３】
2009515465.tif 000005
【国際調査報告】
2009515465.tif 000006
2009515465.tif 000007